(57)【要約】【課題】操作性を向上させることを目的の一つとする。【解決手段】車載用操作装置において、ＧＵＩオブジェクトを表示する表示部と、前記表示部の表示面に対する指示体の接近位置を検出する第１検出部と、前記第１検出部により検出された接近位置に表示された前記ＧＵＩオブジェクトに対応する処理を実行する処理実行部と、前記表示部の表示面の外縁に設けられ、前記指示体の接近位置を検出する第２検出部と、前記第２検出部により前記指示体の接近位置が検出された場合に、前記表示部に、前記ＧＵＩオブジェクトを拡大して表示させる表示制御部と、を備える。【選択図】図２
2018025916.tif 000002
【特許請求の範囲】
【請求項１】
ＧＵＩオブジェクトを表示する表示部と、
前記表示部の表示面に対する指示体の接近位置を検出する第１検出部と、
前記第１検出部により検出された接近位置に表示された前記ＧＵＩオブジェクトに対応する処理を実行する処理実行部と、
前記表示部の表示面の外縁に設けられ、前記指示体の接近位置を検出する第２検出部と、
前記第２検出部により前記指示体の接近位置が検出された場合に、前記表示部に、前記ＧＵＩオブジェクトを拡大して表示させる表示制御部と、
を備える車載用操作装置。
【請求項２】
前記ＧＵＩオブジェクトは、前記表示部に複数表示され、
前記表示制御部は、前記第２検出部により検出された前記指示体の接近位置に基づいて、前記複数表示されたＧＵＩオブジェクトのうち、前記接近位置に対応するＧＵＩオブジェクトを、前記表示部に拡大して表示させる、
請求項１に記載の車載用操作装置。
【請求項３】
前記表示制御部は、前記接近位置に対応するＧＵＩオブジェクトを、前記表示部に、少なくとも前記第２検出部が設置される側とは反対側の方向に拡大して表示させる、
請求項２に記載の車載用操作装置。
【請求項４】
前記表示制御部は、前記第２検出部による前記指示体の接触を検出することで、前記表示部に、前記ＧＵＩオブジェクトを拡大して表示させる、
請求項１から３のうち、いずれか１項に記載の車載用操作装置。
【請求項５】
前記ＧＵＩオブジェクトは、前記表示面の端部に偏して表示され、
前記第２検出部は、前記ＧＵＩオブジェクトが偏して表示される前記端部に沿って配置される、
請求項１から４のうち、いずれか１項に記載の車載用操作装置。
【請求項６】
前記第２検出部は、前記表示部に表示されるＧＵＩオブジェクトの形状に対応させた、視認可能または触覚により認識可能な境界が設けられている、
請求項１から５のうち、いずれか１項に記載の車載用操作装置。
【請求項７】
前記第２検出部は、前記表示部の表示面に対して手前側に傾斜して形成される、
請求項１から６のうち、いずれか１項に記載の車載用操作装置。
【請求項８】
前記第２検出部は、静電容量センサを備える、
請求項１から７のうち、いずれか１項に記載の車載用操作装置。
【請求項９】
前記ＧＵＩオブジェクトは、前記表示部に表示されるページに対応付けられた内容が割り当てられており、ある階層の表示画面において、前記表示画面に表示されている内容に関係なく常時表示される、
請求項１から８のうち、いずれか１項に記載の車載用操作装置。
【請求項１０】
前記表示制御部は、前記表示部の表示面に、前記ＧＵＩオブジェクトを表示する領域と、前記ＧＵＩオブジェクトに対応する処理を実行した結果を表示する領域とを表示させる、
請求項１から９のうち、いずれか１項に記載の車載用操作装置。
【発明の詳細な説明】
【技術分野】
【０００１】
本発明は、車載用操作装置に関する。
【背景技術】
【０００２】
タッチパネル式の表示装置において、タッチパネルへの指の接近を検知すると、その座標を中心とした所定領域を拡大表示する技術が開示されている（例えば、特許文献１参照）。
【先行技術文献】
【特許文献】
【０００３】
【特許文献１】特許第５６７５６２２号公報
【発明の概要】
【発明が解決しようとする課題】
【０００４】
しかしながら、従来技術では、タッチパネルに指が接触する以前に画面上の座標を確定し、確定した座標を中心とした領域を拡大させてしまうため、操作者が意図しない領域が拡大されて表示される可能性があった。
【０００５】
本発明は、このような事情を考慮してなされたものであり、操作性を向上させることができる車載用操作装置を提供することを目的の一つとする。
【課題を解決するための手段】
【０００６】
請求項１記載の発明は、ＧＵＩオブジェクト（４２Ａ）を表示する表示部（４２）と、前記表示部（４２）の表示面に対する指示体の接近位置を検出する第１検出部（４３）と、前記第１検出部により検出された接近位置に表示された前記ＧＵＩオブジェクトに対応する処理を実行する処理実行部（５５）と、前記表示部の表示面の外縁に設けられ、前記指示体の接近位置を検出する第２検出部（４４）と、前記第２検出部により前記指示体の接近位置が検出された場合に、前記表示部に、前記ＧＵＩオブジェクトを拡大して表示させる表示制御部（５２）と、を備える車載用操作装置（４０）である。
【０００７】
請求項２記載の発明は、請求項１に記載の車載用操作装置であって、前記ＧＵＩオブジェクトは、前記表示部に複数表示され、前記表示制御部は、前記第２検出部により検出された前記指示体の接近位置に基づいて、前記複数表示されたＧＵＩオブジェクトのうち、前記接近位置に対応するＧＵＩオブジェクトを、前記表示部に拡大して表示させるものである。
【０００８】
請求項３記載の発明は、請求項２に記載の車載用操作装置であって、前記表示制御部は、前記接近位置に対応するＧＵＩオブジェクトを、前記表示部に、少なくとも前記第２検出部が設置される側とは反対側の方向に拡大して表示させるものである。
【０００９】
請求項４記載の発明は、請求項１から３のうち、いずれか１項に記載の車載用操作装置であって、前記表示制御部は、前記第２検出部による前記指示体の接触を検出することで、前記表示部に、前記ＧＵＩオブジェクトを拡大して表示させるものである。
【００１０】
請求項５記載の発明は、請求項１から４のうち、いずれか１項に記載の車載用操作装置であって、前記ＧＵＩオブジェクトは、前記表示面の端部に偏して表示され、前記第２検出部は、前記ＧＵＩオブジェクトが偏して表示される前記端部に沿って配置されるものである。
【００１１】
請求項６記載の発明は、請求項１から５のうち、いずれか１項に記載の車載用操作装置であって、前記第２検出部は、前記表示部に表示されるＧＵＩオブジェクトの形状に対応させた視認可能または触覚により認識可能な境界が設けられている。
【００１２】
請求項７記載の発明は、請求項１から６のうち、いずれか１項に記載の車載用操作装置であって、前記第２検出部は、前記表示部の表示面に対して手前側に傾斜して形成されるものである。
【００１３】
請求項８記載の発明は、請求項１から７のうち、いずれか１項に記載の車載用操作装置であって、前記第２検出部は、静電容量センサを備えるものである。
【００１４】
請求項９記載の発明は、請求項１から８のうち、いずれか１項に記載の車載用操作装置であって、前記ＧＵＩオブジェクトは、前記表示部に表示されるページに対応付けられた内容が割り当てられており、ある階層の表示画面において、前記表示画面に表示されている内容に関係なく常時表示されるものである。
【００１５】
請求項１０記載の発明は、請求項１から９のうち、いずれか１項に記載の車載用操作装置であって、前記表示制御部は、前記表示部の表示面に、前記ＧＵＩオブジェクトを表示する領域と、前記ＧＵＩオブジェクトに対応する処理を実行した結果を表示する領域とを表示させるものである。
【発明の効果】
【００１６】
請求項１および１０に記載の発明によれば、車載用操作装置の操作性を向上させることができる。
【００１７】
請求項２および８に記載の発明によれば、第２検出部の検出結果に基づいて、操作者が意図したＧＵＩオブジェクトを拡大表示させやすくすることができる。
【００１８】
請求項３および９に記載の発明によれば、複数のＧＵＩオブジェクトが配列されている場合に、他のＧＵＩオブジェクトを隠すことなく、対象のＧＵＩオブジェクトを拡大表示させることができる。
【００１９】
請求項４に記載の発明によれば、第２検出部に指示体が確実に接触したことを条件として表示部に対する表示制御を行うことができるため、誤動作を防止することができる。
【００２０】
請求項５に記載の発明によれば、操作者は、第２検出部による検出結果に基づいて、表示部に表示されたＧＵＩオブジェクトを拡大表示させた後、指示体を僅かに移動させるだけで、ＧＵＩオブジェクトの選択操作を行うことができる。したがって、操作性を向上させることができる。
【００２１】
請求項６に記載の発明によれば、操作者は、目的のＧＵＩオブジェクトを容易に選択することができる。
【００２２】
請求項７に記載の発明によれば、操作者の指の接近を、第１検出部で検出されるよりも先に、第２検出部で検出しやすくなるため、表示部の表示面に対する指の接触よりも前に、ＧＵＩオブジェクトを拡大表示させることができる。したがって、操作者は、ＧＵＩオブジェクトを容易に選択することができる。
【図面の簡単な説明】
【００２３】
【図１】実施形態の車載用操作装置が搭載される車両１の概略図である。
【図２】車載用操作装置４０の機能構成の一例を示す図である。
【図３】表示部４２に表示されるＧＵＩオブジェクト４２Ａと、第２検出部４４との配置例を説明するための図である。
【図４】表示制御部５２により拡大表示がなされる様子の一例を示す図（その１）である。
【図５】表示制御部５２により拡大表示がなされる様子の一例を示す図（その２）である。
【図６】ＧＵＩオブジェクト４２Ａの他の表示例を示す図である。
【図７】車載用操作装置４０における表示制御処理の一例を示すフローチャートである。
【発明を実施するための形態】
【００２４】
以下、図面を参照し、本発明の車載用操作装置の実施形態について説明する。
【００２５】
図１は、実施形態の車載用操作装置が搭載される車両１の概略図である。図１の例において、車両１は、座席部１０と、インストルメントパネル部（以下、「インパネ部」と称する）２０と、ステアリングホイール３０と、車載用操作装置４０とを備える。座席部１０は、車両１を運転する乗員が着座するシートである。インパネ部２０は、例えば車両１を運転する乗員（運転者）が着座する座席部１０の前方付近に設けられる。インパネ部２０には、図示しない車両１のスピードメータや空調設備の操作部や通気口等が設けられている。
【００２６】
ステアリングホイール３０は、乗員の操作により車両１の操舵操作を受け付ける。車載用操作装置４０は、図１に示すようにインパネ部２０に外付けまたは埋め込まれて設置される。なお、車載用操作装置４０は、例えば助手席や後部座席に対応する任意の箇所等に取り付けられてもよい。
【００２７】
表示部４２は、ＬＣＤ（Liquid Crystal Display）や有機ＥＬ（Electro Luminescence）表示装置等である。表示部４２は、乗員（操作者）の操作内容を受け付けて、受け付けた操作内容に対する機能に関する情報を表示する。機能とは、例えば車両１の目的地までの経路案内を行うナビゲーション機能や、ラジオ局から所定の周波数で伝送される音声情報をスピーカから出力させるラジオ機能、ＤＶＤ（Digital Versatile Disc）やＣＤ（Compact Disc）等に記憶されたデータを再生するメディア再生機能、電話回線により接続された相手方と通話を行う電話機能、乗員が所持する端末装置と車載用操作装置４０とをリンクさせて、端末装置で表示される画面を、表示部４２の画面に表示させたり、端末装置と同様の機能を実現する端末リンク機能等である。また、機能に関する情報には、機能を実行するための画面や、機能により実行される映像や画像、音声等のコンテンツが含まれる。車載用操作装置４０は、上述したナビゲーション機能等を実現する場合には、ＧＮＳＳ（Global Navigation Satellite System）受信機や地図情報（ナビ地図）等を備える。また、車載用操作装置４０は、音声を出力するスピーカや音声を入力するマイク等を備えていてもよい。
【００２８】
表示部４２は、例えば上述した各機能のいずれかに切り替えるための、一または複数のＧＵＩ（Graphical User Interface）オブジェクト４２Ａを表示する。ＧＵＩオブジェクト４２Ａとは、表示された領域（その外縁部を含んでもよい）がタッチされることで、そのＧＵＩオブジェクト４２Ａに対応した操作が受け付けられるものである。ＧＵＩオブジェクト４２Ａは、例えばアイコンや、ボタン、スイッチ、マーク、図柄、模様、記号等の形状で表示される。
【００２９】
また、表示部４２は、表示面に対する操作者の指の接近位置を検出する第１検出部４３を備える。操作者の指は、「指示体」の一例である。指示体には、操作者の手の他の部分やタッチペン等が含まれてもよい。表示部４２は、コンテンツ等を表示する機能と、第１検出部４３により表示面に対する操作者の指の接近位置を受け付ける機能とを備えたタッチパネル式表示装置である。
【００３０】
第１検出部４３は、例えば、静電容量を検出する静電容量センサを含む。静電容量センサは、表示部４２の表示面の領域内に所定の間隔で配置される。第１検出部４３は、配置された静電容量センサのうち、静電容量が閾値以上に変化した静電容量センサの位置を、操作位置として検出する。また、第１検出部４３は、検出した操作位置を示す位置情報を、後述する制御部５０に出力する。なお、上述した閾値は、操作者の指が表示部４２の表示面に接触することで初めて超える値に設定されてもよい。この場合、第１検出部４３は、表示面への指の接触により、指の接近を検出することになる。これにより、第１検出部４３に操作者の指が確実に接触したことを条件として表示部４２に対する表示制御を行うことができるため、誤動作を防止することができる。
【００３１】
また、車載用操作装置４０は、表示部４２および第１検出部４３の他に、第２検出部４４を備える。第２検出部４４は、表示部４２の表示面の外縁に設けられ、操作者の指の接近位置を検出する。
【００３２】
図２は、車載用操作装置４０の機能構成の一例を示す図である。車載用操作装置４０は、表示部４２と、第１検出部４３と、第２検出部４４と、制御部５０と、記憶部６０と、マイク７０と、スピーカ８０とを備える。
【００３３】
第２検出部４４は、表示部４２に表示されたＧＵＩオブジェクト４２Ａの配列方向に沿って配列された複数の静電容量センサを備え、各静電容量センサの静電容量を検出する。また、第２検出部４４は、静電容量が閾値以上に変化した静電容量センサの位置を、操作位置として検出する。また、第２検出部４４は、検出した位置を示す位置情報を、制御部５０に出力する。なお、上述した閾値は、操作者の指が第２検出部４４に接触することで初めて超える値に設定されてもよい。この場合、第２検出部４４は、表示面への指の接触により、指の接近を検出することになる。これにより、第２検出部４４に操作者の指が確実に接触したことを条件として表示部４２に対する表示制御を行うことができるため、誤動作を防止することができる。
【００３４】
なお、第１検出部４３および第２検出部４４に用いられる静電容量センサは、操作者の指を各部の表面に接触させることで静電容量を変化させる表面型（接触型）静電容量方式、或いは、操作者の指を表示面の所定距離以内に近づけることで静電容量を変化させる投影型（非接触型）静電容量方式の静電容量センサであってもよい。また、第１検出部４３および第２検出部４４として、静電容量センサの代わりに、抵抗膜等を用いた感圧センサや、超音波表面弾性波を用いた位置検出センサ、赤外線やカメラ画像等を用いた位置検出センサが用いられてもよく、第２検出部４４として、微弱電流を常時通電しておいて接触による抵抗の変化を検出するセンサ等が用いられてもよい。また、第１検出部４３および第２検出部４４は、それぞれ、１つのセンサを備え、そのセンサ内のどの位置（座標）に接近または接触しているかを検出してもよい。
【００３５】
図３は、表示部４２に表示されるＧＵＩオブジェクト４２Ａと、第２検出部４４との配置例を説明するための図である。第２検出部４４は、表示部４２の外縁において、表示部４２の表示面に対して手前側に傾斜して設けられる。また、表示部４２と、第２検出部４４との成す角度θは、例えば約７５〜１８０度程度である。また、角度θは、インパネ部２０の形状等に対応させた角度でもよい。
【００３６】
また、表示部４２と、第２検出部４４との距離ｄは、一般的な指の長さや手の大きさに基づいて、第１検出部４３および第２検出部４４で同時に検出結果が可能な距離であるのが好ましく、例えば約３［ｃｍ］以内である。なお、距離ｄを略ゼロとし、表示部４２と第２検出部４４とが略連続するように配置してもよい。また、表示部４２と、第２検出部４４とは、別体ではなく一体に構成されていてもよい。また、表示部４２または第２検出部４４の少なくとも一方は、インパネ部２０に埋め込まれて設置されてもよく、インパネ部２０の表面に設置されてもよい。
【００３７】
表示部４２には、表示面の少なくとも１つの端部４２Ｂに偏して、１又は複数のＧＵＩオブジェクト４２Ａが表示されている。図３の例では、表示部４２の表示面の下端にＧＵＩオブジェクト４２Ａが表示されている。なお、ＧＵＩオブジェクト４２Ａの表示位置は、図３の例に限定されるものではない。例えば、ＧＵＩオブジェクト４２Ａは、表示面の上端、下端、左端、または右端の各端部４２Ｂのうち、少なくとも一端に表示されてよい。
【００３８】
ＧＵＩオブジェクト４２Ａは、表示部４２に表示されるページに対応付けられた内容が割り当てられている。図３では、ＧＵＩオブジェクト４２Ａの一例として、現在地表示やナビゲーション機能に切り替える「Ｍａｐ」ボタン、ラジオ機能に切り替える「Ｒａｄｉｏ」ボタン、ＤＶＤ等のメディア再生機能に切り替える「Ｍｅｄｉａ」ボタン、電話機能に切り替える「Ｐｈｏｎｅ」ボタン、端末リンク機能に切り替える「Ｓｍａｒｔｐｈｏｎｅ」ボタン、他の機能に対応するボタンを表示させる「＊＊＊」ボタンが表示されている。なお、表示されるＧＵＩオブジェクト４２Ａの種類や数については、これに限定されるものではなく、例えば画面表示のオン／オフを行うＧＵＩオブジェクトや、出力される音声の音量調整を行うＧＵＩオブジェクトが表示されてもよい。
【００３９】
各ＧＵＩオブジェクト４２Ａは、例えば同一サイズの領域（図３に例示するｗ１×ｈ１）で表される。なお、ＧＵＩオブジェクト４２Ａの形状については、矩形に限定されるものではなく、円形や楕円形等でもよい。また、ＧＵＩオブジェクト４２Ａは、ある階層の表示画面において、表示画面に表示されている内容に関係なく常時表示される。ある階層の表示画面とは、例えば、車載用操作装置４０の起動画面や詳細機能の表示画面を除いた階層の表示画面である。
【００４０】
第２検出部４４は、静電容量センサの表面に、静電容量センサを保護するための保護カバー等を備えてもよい。保護カバーは、樹脂等で形成される。保護カバーの表面または裏面には、表示部４２に表示された各ＧＵＩオブジェクト４２Ａの表示領域に対応させて、第２検出部４４の検出領域を区画するための境界４４Ａが、視認可能または触覚により認識可能に設けられている。境界４４Ａは、例えば凹部や凸部、切れ込み等により形成されていてもよく、線や模様等が保護カバーの表面に形成されていてもよい。これにより、操作者に対し、視覚的または触覚的にＧＵＩオブジェクト４２Ａに対応した境界を認識させやすくすることができ、目的のＧＵＩオブジェクト４２Ａを選択させやすくすることができる。また、第２検出部４４は、図３に示すように、保護カバーの表面の少なくとも一部に、ＬＥＤ（Light Emitting Diode）４４Ｂ等の発光体を設けてもよい。
【００４１】
制御部５０は、例えばオブジェクト表示位置設定部５１と、表示制御部５２と、接近判定部５３と、操作判定部５４と、機能実行部５５とを備える。
【００４２】
オブジェクト表示位置設定部５１は、ＧＵＩオブジェクト４２Ａの内容と表示位置と含む表示位置情報を設定する。表示位置とは、例えば表示部４２の表示面の座標情報である。ＧＵＩオブジェクト４２Ａの表示位置は、表示部４２に表示される機能ごとに既定として設定されてもよく、操作者の設定操作により任意に設定されてもよい。オブジェクト表示位置設定部５１により設定された各ＧＵＩオブジェクト４２Ａの表示位置情報は、記憶部６０に記憶される。
【００４３】
表示制御部５２は、記憶部６０に記憶された表示位置情報に基づいて、ＧＵＩオブジェクト４２Ａを表示部４２の所定の位置に表示させる。また、表示制御部５２は、ＧＵＩオブジェクト４２Ａが表示される前の階層の画像、或いはコンテンツ等を表示させる。また、表示制御部５２は、表示部４２の表示面に、ＧＵＩオブジェクト４２Ａを表示する領域と、ＧＵＩオブジェクト４２Ａに対応する処理を実行した結果（例えば、コンテンツ）を表示する領域とを表示させる。
【００４４】
接近判定部５３は、第２検出部４４から入力された信号に基づいて、操作者の指が第２検出部４４に接近したか否かを判定し、更に、操作者の指の接近位置を認識する。なお、第２検出部４４は、静電容量を示す信号を出力する機能のみを有し、接近判定部５３の方で、静電容量を閾値と比較して、操作者の指が第２検出部４４に接近したか否かを判定してもよい。
【００４５】
これを受けて表示制御部５２は、第２検出部４４における操作者の指の接近位置に対応するＧＵＩオブジェクト４２Ａを、拡大して表示させる。接近位置に対応するＧＵＩオブジェクト４２Ａとは、例えば接近位置に最も近い位置に表示されたＧＵＩオブジェクト４２Ａである。
【００４６】
また、表示制御部５２は、第２検出部４４における操作者の指の接近位置に対応するＬＥＤ４４Ｂを点灯させてもよい。ＬＥＤ４４Ｂは、単色でもよく、配置されるＬＥＤ４４Ｂの位置に応じて異なる色でもよい。ＬＥＤ４４Ｂの点灯等を行うことで、操作者の指が第２検出部４４のどの位置で検出されているかを、操作者に容易に把握させることができる。
【００４７】
図４および図５は、それぞれ、表示制御部５２により拡大表示がなされる様子の一例を示す図である。表示制御部５２は、接近判定部５３から接近位置を示す情報が入力されると、記憶部６０に記憶された各ＧＵＩオブジェクト４２Ａの表示位置情報を参照し、接近位置に対応するＧＵＩオブジェクト４２Ａを、表示部４２に拡大して表示させる。
【００４８】
図４の例において、表示制御部５２は、表示部４２に表示させた各ＧＵＩオブジェクト４２Ａのうち、第２検出部４４の接近位置（図４に例示するｔ１）に対応するＧＵＩオブジェクト４２Ａ＊を、少なくとも第２検出部４４が設置される側とは反対側の方向に拡大して表示させる。例えば、ＧＵＩオブジェクト４２Ａ＊は、横幅を一定（ｗ１）とし、高さ方向（縦方向）に拡大して表示される。なお、拡大後の高さｈ２は、例えば、拡大前の高さｈ１に対して約２〜３倍（拡大率２００〜３００％）程度の高さである。高さｈ１は、例えば約５〜１０［ｍｍ］程度であるが、表示部４２の画面サイズや表示されるＧＵＩオブジェクト４２Ａの数に応じて設定されてもよい。なお、ＧＵＩオブジェクト４２Ａが、表示面の右端や左端に配置されている場合、表示制御部５２は、ＧＵＩオブジェクト４２Ａ＊の高さを一定とし、幅方向（横方向）を、少なくとも第２検出部４４が設置される側とは反対側の方向に拡大して表示させる。これにより、他のＧＵＩオブジェクトを隠すことなく対象のＧＵＩオブジェクトを拡大表示させることができる。
【００４９】
また、図４の例において、表示制御部５２は、境界４４Ａで区切られた第２検出部４４の各領域のうち、ｔ１部分に相当するＬＥＤ４４Ｂを点灯させてもよい。また、表示制御部５２は、拡大表示させたＧＵＩオブジェクト４２Ａ＊の占める領域内に記載された文字等を拡大させてもよく、拡大表示されたＧＵＩオブジェクト４２Ａ＊を、他のＧＵＩオブジェクト４２Ａとは異なる色で表示させてもよい。これにより、操作者の指の位置に対応付けてＧＵＩオブジェクト４２Ａを拡大表示させることで、操作者の視認性を向上させることができ、車載用操作装置４０は、操作者に対してＧＵＩオブジェクト４２Ａの選択操作を容易に行わせることができる。
【００５０】
また、表示制御部５２は、第２検出部４４により静電容量の変化が検出された場合に、表示部４２に表示された全てのＧＵＩオブジェクト４２Ａを第１の倍率で拡大表示させ、更に第２検出部４４により検出された検出された接近位置に対応するＧＵＩオブジェクト４２Ａ＊を第１の倍率よりも大きい第２の倍率で拡大表示させてもよい。
【００５１】
図５の例において、表示制御部５２は、ＧＵＩオブジェクト４２Ａを高さ方向だけでなく、幅方向にも拡大して表示させる。例えば、表示制御部５２は、操作者の指が第２検出部４４のｔ１部分に接近した場合に、表示部４２に表示された全てのＧＵＩオブジェクト４２Ａを、拡大前の大きさを基準とした第１の拡大率（例えば、１２０〜１５０％）で高さ方向に拡大表示する。この場合、ＧＵＩオブジェクト４２Ａのサイズは、図５に例示するｗ１×ｈ３となる。更に、表示制御部５２は、ｔ１部分の位置に対応するＧＵＩオブジェクト４２Ａ＊を、拡大前の幅ｗ１および高さｈ１を基準として、第１の拡大率よりも大きい第２の拡大率（例えば、２００〜３００％）で拡大表示させる。この結果、ＧＵＩオブジェクト４２Ａ＊のサイズは、図５に例示するｗ２×ｈ２となる。
【００５２】
これらにより、第２検出部４４が接近位置を検出した状態では、全てのＧＵＩオブジェクト４２Ａを、第１の拡大率で表示させることで、オブジェクト全体を視認させやすくすることができ、更に接近位置に対応するＧＵＩオブジェクト４２Ａ＊を、第１の拡大率よりも大きい第２の拡大率で表示させることで、ＧＵＩオブジェクト４２Ａの選択操作を容易且つ確実に行うことができる。
【００５３】
また、図６に示すように、表示制御部５２は、ＧＵＩオブジェクト４２Ａを、幅方向および高さ方向に拡大して表示させる場合に、他のＧＵＩオブジェクト４２Ａの少なくとも一部が隠れることがないように、ＧＵＩオブジェクト４２Ａのサイズを調整して表示させてもよい。図６は、ＧＵＩオブジェクト４２Ａの他の表示例を示す図である。
【００５４】
図６の例において、表示制御部５２は、操作者の指が第２検出部４４のｔ１部分に接近した場合に、表示部４２に表示された全てのＧＵＩオブジェクト４２Ａを、上述した第１の拡大率で高さ方向に拡大して表示させ、更にｔ１部分の位置に対応するＧＵＩオブジェクト４２Ａ＊を、上述した第２の拡大率で拡大して表示させる。このとき、表示制御部５２は、上述した拡大表示により、ＧＵＩオブジェクト４２Ａの少なくとも一部が隠れて表示される場合に、第１の拡大率で拡大表示させた各ＧＵＩオブジェクト４２Ａの幅を所定の縮小率で縮小する。この結果、ＧＵＩオブジェクト４２Ａのサイズは、図６に例示するｗ３×ｈ３となる。なお、上述の縮小率は、全てのＧＵＩオブジェクト４２Ａで同一でもよく、異なっていてもよい。また、全てのＧＵＩオブジェクト４２Ａのうち、一部のＧＵＩオブジェクト４２Ａ（例えば、ＧＵＩオブジェクト４２Ａ＊に隣接するＧＵＩオブジェクト４２Ａ）を縮小させてもよい。
【００５５】
これらにより、接近位置に対応するＧＵＩオブジェクト４２Ａ＊を拡大表示させた場合であっても、他のＧＵＩオブジェクト４２Ａが隠れることなく、選択操作を容易且つ確実に行うことができる。
【００５６】
また、図５および図６の例では、図４の例と同様に、表示制御部５２は、境界４４Ａで区切られた第２検出部４４の各領域のうち、ｔ１部分に相当するＬＥＤ４４Ｂを点灯させてもよい。
【００５７】
なお、表示制御部５２は、ＧＵＩオブジェクト４２Ａを拡大して表示させる場合に、拡大対象のＧＵＩオブジェクト４２Ａを、表示面の中央部等に表示させてもよい。なお、表示制御部５２は、ＧＵＩオブジェクト４２Ａを拡大表示させてから所定時間が経過しても第１検出部４３による接近位置等の検出がなかった場合に、拡大表示させたＧＵＩオブジェクト４２Ａを元のサイズや位置に戻して表示させたり、点灯しているＬＥＤ４４を消灯させる。また、表示制御部５２は、静電容量センサの静電容量が閾値以上から閾値未満に推移した場合に、拡大させたＧＵＩオブジェクト４２Ａを元の大きさに戻して表示させたり、点灯しているＬＥＤ４４Ｂを消灯させてもよい。これらにより、迅速に元の状態に戻すことができる。
【００５８】
操作判定部５４は、第１検出部４３から入力された信号に基づいて、操作者の指が第１検出部４３に接近したか否かを判定し、更に、操作者の指の接近位置を認識する。なお、第１検出部４３は、静電容量を示す信号を出力する機能のみを有し、操作判定部５４の方で、静電容量を閾値と比較して、操作者の指が第１検出部４３に接近したか否かを判定してもよい。
【００５９】
また、操作判定部５４は、表示部４２の表示面の接近位置の座標が表示部４２に表示されたＧＵＩオブジェクト４２Ａの表示領域内であるか否かを判定する。操作判定部５４は、接近位置が表示されたＧＵＩオブジェクト４２Ａの表示領域内である場合に、機能実行部５５により、そのＧＵＩオブジェクト４２Ａに対応する機能を実行させる。
【００６０】
機能実行部５５は、操作判定部５４による判定結果に基づいて、ＧＵＩオブジェクト４２Ａに対応する処理を実行する。例えば、機能実行部５５は、接近位置に表示されたＧＵＩオブジェクト４２Ａに対応する機能を記憶部６０等から呼び出し、呼び出した機能を実行する。例えば、機能実行部５５は、例えばＧＵＩオブジェクト４２Ａに対応する機能を実行するための画面に切り替えたり、機能を実行するために必要な各種情報の入力を受け付け、受け付けた情報に基づいて機能を実行してもよい。機能実行部５５は、「処理実行部」の一例である。
【００６１】
上述した図３〜図５に示すような表示部４２と、第２検出部４４との配置構成により、操作者は、第２検出部４４に指を接近させて、表示部４２に表示されたＧＵＩオブジェクト４２Ａを拡大表示させた後、指を僅かに移動させるだけで、表示部４２に表示されたＧＵＩオブジェクト４２Ａの選択操作を行うことができる。したがって、選択操作の操作性を向上させることができる。
【００６２】
記憶部６０は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。記憶部６０は、上述した表示位置情報やＧＵＩオブジェクト４２Ａの拡大率、ＧＵＩオブジェクト４２Ａを拡大させておく時間等の各種設定情報、車載用操作装置４０が備える各種機能を実行するためのプログラム、および本実施形態における表示制御処理を実行するためのプログラム等を記憶する。マイク７０は、車載用操作装置４０に対する音声入力を受け付ける。スピーカ８０は、表示部４２に表示される内容に基づく音声出力を行う。
【００６３】
［処理フロー］
以下に、車載用操作装置４０における表示制御処理について、フローチャートを用いて説明する。図７は、車載用操作装置４０における表示制御処理の一例を示すフローチャートである。本フローチャートの処理は、例えば、所定周期で繰り返し実行される。
【００６４】
まず、表示制御部５２は、オブジェクト表示位置設定部５１により設定されたＧＵＩオブジェクト４２Ａの表示位置情報に基づいて、表示部４２に１又は複数のＧＵＩオブジェクト４２Ａを表示させる（ステップＳ１００）。次に、接近判定部５３は、第２検出部４４により接近位置が検出されたか否かを判定する（ステップＳ１０２）。接近位置が検出された場合、表示制御部５２は、第２検出部４４により検出された接近位置に基づいて、表示部４２に表示された１又は複数のＧＵＩオブジェクト４２Ａのうち、接近位置に対応するＧＵＩオブジェクト４２Ａ（上述したＧＵＩオブジェクト４２Ａ＊）を拡大表示させる（ステップＳ１０４）。
【００６５】
次に、操作判定部５４は、第１検出部４３により表示部４２の表示面に対する操作者の指の接近位置が検出されたか否かを判定する（ステップＳ１０６）。第１検出部４３により接近位置が検出された場合、機能実行部５５は、接近位置に表示されたＧＵＩオブジェクト４２Ａに対応する機能を実行する画面に切り替える（ステップＳ１０８）。次に、表示制御部５２は、切り替えた画面に対応する１又は複数のＧＵＩオブジェクト４２Ａを表示部に表示させる（ステップＳ１１０）。
【００６６】
また、ステップＳ１０６の処理において、第１検出部４３により接近位置が検出されていない場合、表示制御部５２は、ＧＵＩオブジェクト４２Ａが拡大表示中か否かを判定する（ステップＳ１１２）。オブジェクトが拡大表示中である場合、表示制御部５２は、ＧＵＩオブジェクト４２Ａが拡大表示されてから所定時間が経過したか否かを判定する（ステップＳ１１４）。所定時間とは、例えば約２〜５秒程度である。ＧＵＩオブジェクト４２Ａが拡大表示されてから所定時間が経過していない場合、ステップＳ１０６の処理に戻る。また、ＧＵＩオブジェクト４２Ａが拡大表示されてから所定時間が経過した場合、表示制御部５２は、拡大表示されたＧＵＩオブジェクト４２Ａを元の表示に戻す（ステップＳ１１６）。これによって、本フローチャートの処理を終了する。上述したステップＳ１１２の処理において、ＧＵＩオブジェクト４２Ａが拡大表示中でない場合、そのまま本フローチャートの処理を終了する。
【００６７】
また、上述の実施形態において、第２検出部４４に対してより細かい分解能を持たせて、ＧＵＩオブジェクト４２Ａに対応する区切り位置を可変に制御してもよい。例えば、第２検出部４４は、複数の静電容量センサのそれぞれの配置間隔を、ＧＵＩオブジェクト４２Ａの幅よりも短くすることで、より細かい範囲で接近位置を検出する。これにより、表示部４２の端部４２Ｂに表示されるＧＵＩオブジェクト４２Ａの数が増加して幅が小さくなった場合でも、それぞれのＧＵＩオブジェクト４２Ａの幅に対応した領域のいずれに操作者の指が接近したかを検出することができる。この結果、ＧＵＩオブジェクト４２Ａは、ＧＵＩオブジェクト４２Ａのサイズ変更に柔軟に対応することができる。また、保護カバーにおける境界４４Ａも、透明な液晶を用いる等して、ＧＵＩオブジェクト４２Ａのサイズに合わせて変更してよい。
【００６８】
上述したように、本実施形態によれば、車載用操作装置４０は、表示部４２の表示面に対する指示体の接近位置を検出する第１検出部４３とは別の検出部（第２検出部４４）を表示面の外縁に設け、第２検出部４４により指示体の接近位置を検出し、検出した接近位置に基づいて、ＧＵＩオブジェクト４２Ａを拡大して表示させる表示制御部を備えることで、操作者が意図したＧＵＩオブジェクトを拡大表示させやすくすることができる。この結果、ＧＵＩオブジェクト４２Ａを選択する際の操作性を向上させることができる。
【００６９】
また、本実施形態によれば、ＧＵＩオブジェクト４２Ａを最初から大きいサイズで表示させるのではなく、指示体の接近が検出された場合に拡大して表示させるため、表示部４２をコンパクトにすることができる。したがって、例えば、車両１のインパネ部２０等の限られたスペースであっても表示部４２を配置することができる。
【００７０】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００７１】
１…車両、１０…座席部、２０…インパネ部、３０…ステアリングホイール、４０…車載用操作装置、４２…表示部、４２Ａ…ＧＵＩオブジェクト、４３…第１検出部、４４…第２検出部、５０…制御部、５１…オブジェクト表示位置設定部、５２…表示制御部、５３…接近判定部、５４…操作判定部、５５…機能実行部（処理実行部）、６０…記憶部、７０…マイク、８０…スピーカ
【図１】
2018025916.tif 000003
【図２】
2018025916.tif 000004
【図３】
2018025916.tif 000005
【図４】
2018025916.tif 000006
【図５】
2018025916.tif 000007
【図６】
2018025916.tif 000008
【図７】
2018025916.tif 000009